(57)【要約】【課題】  簡単にブレードを新品に更新できるインク除去装置を提供する。【解決手段】  インク除去装置１は、上面に少なくとも一つの斜面１１を有する本体１０と、  前記本体１０の斜面に設けられると共に、該斜面との間に挿入溝２００が形成される押圧プレート２０と、  前記挿入溝に挿入するブレード３０と、  前記挿入溝の一側に設けられ、空気注入することにより、該ブレード３０を押圧することができる空気注入部材４０と、を有することを特徴とする。【選択図】  図１
2007106059.tif 000002
【特許請求の範囲】
【請求項１】
上面に少なくとも一つの斜面を有する本体と、
前記本体の斜面に設けられると共に、該斜面との間に挿入溝が形成される押圧プレートと、
前記挿入溝に挿入するブレードと、
前記挿入溝の一側に設けられ、空気注入することにより、該ブレードを押圧することができる空気注入部材と、を有することを特徴とするインク除去装置。
【請求項２】
前記空気注入部材と挿入溝との間にインク止め部材が設けられ、又、該空気注入部材とブレードとの間に表面に滑り止め部材を有する位置決めブロックが設けられることを特徴とする請求項１に記載のインク除去装置。
【請求項３】
前記本体にＵ型インク溝が形成され、該Ｕ型インク溝の両側に夫々斜面が形成されることを特徴とする請求項２に記載のインク除去装置。
【発明の詳細な説明】
【技術分野】
【０００１】
本発明は、特に印刷機械に取付け、余分なインクを除去するインク除去装置に関するものである
【背景技術】
【０００２】
印刷機械は、例えばインクがパターンを有する網版に塗布され、インク除去装置によって余分なインクを除去するものである。該余分なインクを除去するために用いられるインク除去装置は、印刷ローラーの一側に設けられる１枚のブレードを有するものと、インク溝の両側に設けられる２枚のブレードを有するものとを含む。
【０００３】
インク溝の両側に設けられる２枚のブレードを有するインク除去装置としては、例えば、図６及び図７に示すように、印刷ローラー（７０）の下方にインク除去装置（５０）が設けられ、該インク除去装置（５０）は、両端に夫々カバー（５５）が設けられると共に、中央にＵ型インク溝（５１０）が形成される本体（５１）を有し、該Ｕ型インク溝（５１０）の両側に斜面（５１１）が形成され、押圧プレート（５２）と固定ボルト（５３）によってブレード（６０）が押圧プレート（５２）と斜面（５１１）との間に位置決めされる。前記Ｕ型インク溝（５１０）にインクが充填され、印刷ローラー（７０）の底部がＵ型インク溝（５１０）の内部におけるインクと接触することにより、印刷ローラー（７０）を回転する際、印刷ローラー（７０）につける余分なインクをブレード（６０）によって除去することができる。又、前記インク除去装置は、一般によく使用されるものであるため、特に特許文献又は非特許文献には記載されていなかった。
【発明の開示】
【発明が解決しようとする課題】
【０００４】
しかしながら、前記ブレード（６０）を新品に交換する際、必ず固定ボルト（５３）と押圧プレート（５２）を外さなければならないので、交換作業が非常に面倒である。
【０００５】
そこで、出願されたのが本発明であって、簡単にブレードを新品に更新できるインク除去装置を提供することを目的としている。
【課題を解決するための手段】
【０００６】
本願の請求項１の発明は、上面に少なくとも一つの斜面を有する本体と、
前記本体の斜面に設けられると共に、該斜面との間に挿入溝が形成される押圧プレートと、
前記挿入溝に挿入するブレードと、
前記挿入溝の一側に設けられ、空気注入することにより、該ブレードを押圧することができる空気注入部材と、を有することを特徴とするインク除去装置、を提供する。
【０００７】
本願の請求項２の発明は、前記空気注入部材と挿入溝との間にインク止め部材が設けられ、又、該空気注入部材とブレードとの間に表面に滑り止め部材を有する位置決めブロックが設けられることを特徴とする請求項１に記載のインク除去装置、を提供する。
【０００８】
本願の請求項３の発明は、前記本体にＵ型インク溝が形成され、該Ｕ型インク溝の両側に夫々斜面が形成されることを特徴とする請求項２に記載のインク除去装置、を提供する。
【発明の効果】
【０００９】
本発明は上記の課題を解決するものであり、インク除去装置の本体におけるブレードの一側に空気の注入又は洩れ可能な空気注入部材が設けられ、該空気注入部材がブレードを押圧する状態により、ブレードを簡単に位置決め又は取り外すことができる。
【発明を実施するための最良の形態】
【００１０】
以下、添付図面を参照して本発明の好適な実施の形態を詳細に説明する。
【００１１】
図１は本発明に係るインク除去装置の第１実施例の斜視図であり、図２は本発明に係るインク除去装置の第１実施例において、ブレードの取付前の部分断面図であり、図３は本発明に係るインク除去装置の第１実施例において、ブレードの取付後の断面図であり、図４は本発明に係るインク除去装置の第２実施例の断面図であり、図５は本発明に係るインク除去装置の第３実施例の断面図である。
【００１２】
図１に示すように、本発明に係るインク除去装置（１）の第１実施例は、Ｕ型インク溝（１２）を有する本体（１０）に設けられる２枚のブレード（３０）を有し、該本体（１０）の両端に夫々カバー（１５）が設けられ、Ｕ型インク溝（１２）の両側に斜面（１１）が形成され、該斜面（１１）に押圧プレート（２０）が設けられることにより、ブレード（３０）が押圧プレート（２０）と斜面（１１）との間に挟み込まれる。
【００１３】
又、図１、図３及び図４に示すように、前記インク除去装置（１）に空気注入装置（符号なし）と連接する空気注入部材（４０）が設けられ、該空気注入部材（４０）に空気を充填して、ブレード（３０）を圧迫することにより、ブレード（３０）を位置決めする。
【００１４】
又、図１乃至図３に示すように、前記押圧プレート（２０）は複数の固定ボルト（２１）によって斜面（１１）に固定され、押圧プレート（２０）と斜面（１１）の間にブレード（３０）を挿入するための挿入溝（２００）が形成され、斜面（１１）における挿入溝（２００）の一側に位置決め溝（１１０）が形成され、該位置決め溝（１１０）の底面に空気注入部材（４０）を設置するための押圧溝（１１１）歯形成され、又、該位置決め溝（１１０）に位置決めブロック（４１）が設けられ、前記挿入溝（２００）へ向かう位置決めブロック（４１）の一面に滑り止め部（４１０）が設けられることにより、ブレード（３０）の位置決め効果を向上する。又、該滑り止め部（４１０）の代わりに滑り止めパッドが設けられ、又は該位置決めブロック（４１）の一面に摩擦力を向上する構造が設けられても良い。
【００１５】
図２に示すように、本発明に係るインク除去装置（１）にブレード（３０）を設置しない時、固定ボルト（２１）によって押圧プレート（２０）を本体（１０）に固定させ、位置決めブロック（４１）と空気注入部材（４０）が夫々位置決め溝（１１０）と押圧溝（１１１）に設けられ、又、図３に示すように、ブレード（３０）を挿入溝（２００）に挿入する際、空気注入部材（４０）に空気を注入させ、該空気注入部材（４０）が位置決めブロック（４１）を押圧することにより、該位置決めブロック（４１）がブレード（３０）を位置決めさせる。
【００１６】
一方、ブレード（３０）を外せようとする場合、単に空気注入部材（４０）における空気が洩れるだけで、ブレード（３０）を簡単に挿入溝（２００）から取り出すことができる。
【００１７】
又、図１乃至図３に示すように、前記位置決め溝（１１０）と挿入溝（２００）との間にインク止め部材（４３）が設けられることにより、インクを挿入溝（２００）の内部に進入することを防止できる。
【００１８】
前記実施例では、位置決め溝（１１０）と、位置決めブロック（４１）、押圧溝（１１１）、空気注入部材（４０）及びインク止め部材（４３）は本体（１０）に設けられるが、押圧プレート（２０）に設置しても良い。
【００１９】
又、図４に示すように、本発明に係るインク除去装置（１）の第２実施例では、単に本体（１０Ａ）の一側に空気注入部材（４０）とインク止め部材（４３）が設けられ、該空気注入部材（４０）によってブレード（３０）を押圧させることにより、前記第１実施例と等しい効果を達成できる。
【００２０】
又、図５に示すように、本発明に係るインク除去装置（１Ｂ）の第３実施例では、一枚のブレード（３０）を有しなく、本実施例は、斜面を有する本体（１０Ｂ）と、該本体（１０Ｂ）と取付ける押圧プレート（２０Ｂ）と、該本体（１０Ｂ）と押圧プレート（２０Ｂ）との間に設けられるブレード（３０）と、を備え、該本体（１０Ｂ）に、ブレード（３０）の一側に位置される空気注入部材（４０）とインク止め部材（４３）が設けられ、このインク除去装置（１）は、印刷ローラー（７０）の一側に設けられることにより、前記実施例と等しい効果を達成できる。
【産業上の利用可能性】
【００２１】
本発明は上記の構成を有するので、インク除去装置の本体におけるブレードの一側に空気の注入又は洩れ可能な空気注入部材が設けられ、該空気注入部材がブレードを押圧する状態により、ブレードを簡単に位置決め又は取り外すことができる。
【図面の簡単な説明】
【００２２】
【図１】本発明に係るインク除去装置の第１実施例の斜視図である。
【図２】本発明に係るインク除去装置の第１実施例において、ブレードの取付前の部分断面図である。
【図３】本発明に係るインク除去装置の第１実施例において、ブレードの取付後の断面図である。
【図４】本発明に係るインク除去装置の第２実施例の断面図である。
【図５】本発明に係るインク除去装置の第３実施例の断面図である。
【図６】従来のインク除去装置の断面図である。
【図７】従来のインク除去装置の斜視図である。
【符号の説明】
【００２３】
１          インク除去装置
１Ｂ        インク除去装置
１０        本体
１０Ａ      本体
１０Ｂ      本体
１１        斜面
１１０      位置決め溝
１１１      押圧溝
１２        Ｕ型インク溝
１５        カバー
２０        押圧プレート
２０Ｂ      押圧プレート
２００      挿入溝
２１        固定ボルト
３０        ブレード
４０        空気注入部材
４１        位置決めブロック
４１０      滑り止め部
４３        インク止め部材
５０        インク除去装置
５１        本体
５１０      Ｕ型インク溝
５１１      斜面
５２        押圧プレート
５３        固定ボルト
５５        カバー
６０        ブレード
７０        印刷ローラー
【図１】
2007106059.tif 000003
【図２】
2007106059.tif 000004
【図３】
2007106059.tif 000005
【図４】
2007106059.tif 000006
【図５】
2007106059.tif 000007
【図６】
2007106059.tif 000008
【図７】
2007106059.tif 000009